(57)【要約】  濾過装置（１）およびそれを含む濾過輸液容器であり、前記濾過装置（１）は、第１収容キャビティ（２１３）が設けられる外殻（２１）を含む第１部材（２０）と；流体通路（４１）を含む第２部材（４０）と；流体通路（４１）を開閉するために使用され、執行部（５０）のヘッド部（５１）が第２部材（４０）に回転可能に接続され、執行部（５０）のロッド部（５１）が流体通路（４１）に挿入して設けられ、且つロッド部（５１）の外面がシートカバー（５３）でカバーされる執行部（５０）と；第１部材（２０）と第２部材（４０）の間に挟まれる濾過膜（３０）と；流体通路（４１）、濾過膜（３０）、及び前記第１収容キャビティ（２１３）を順次に通過する流路（６０）を含む。濾過輸液容器は輸液容器（２）と前記濾過装置（１）を備え、前記濾過装置（１）が前記輸液容器（２）に接続され、且つ流路（６０）の一端が輸液容器（２）に通じ、他端が濾過膜（３０）に通じる。濾過装置（１）の構造は、濾過膜（３０）が患者が使用する前にずっと輸液液体と異なる閉空間に位置され、最適な完全性を維持し、同時に濾過装置は液漏れを引き起こさず、輸送中に執行部が緩むことはない。
2020527460.tif 000002
【特許請求の範囲】
【請求項１】
外殻を含み、前記外殻の第１側壁と底板とに囲まれて第１収容キャビティが形成された前記第１部材と、
前記第１部材に接続され、流体通路を含む第２部材と、
前記流体通路を開閉するために使用され、相互に接続されたヘッド部とロッド部とを含み、前記ヘッド部が第２部材に回転可能に接続され、前記ロッド部が前記流体通路に挿入して設けられ、且つ前記ロッド部の外表面がシートカバーでカバーされる執行部と、
前記第１部材と前記第２部材との間に挟まれる濾過膜と、
を含む濾過装置であり、
前記濾過装置は、流路を更に含み、前記流路は前記流体通路、前記濾過膜、及び前記第１収容キャビティを順次に通過することを特徴とする濾過装置。
【請求項２】
前記執行部の中心軸が、前記流体通路の中心軸に垂直であり、前記執行部が、前記流体通路の中心軸に対して垂直な方向に直線的に移動しながら、前記執行部の中心軸を中心にして回転することを特徴とする請求項１に記載の濾過装置。
【請求項３】
前記第２部材は、マウントを更に備え、前記マウントにはインナーキャビティが設けられ、前記執行部の前記ロッド部は前記インナーキャビティに挿入して設けられ、前記インナーキャビティの中心軸は、前記流体通路の中心軸に垂直であることを特徴とする請求項２に記載の濾過装置。
【請求項４】
前記ヘッド部の前記流体通路に面する一側には、制限スロットが設けられ、前記マウントの側壁の前記制限スロットに面する一端は、前記制限スロットに挿入して設けられ、前記制限スロットと前記マウントの側壁とは係合して前記執行部の移動を制限するために使用されることを特徴とする請求項３に記載の濾過装置。
【請求項５】
前記マウントの側壁の外表面に回転突起が設けられ、前記制限スロットの内表面に前記回転突起に対応する回転溝が設けられ、前記回転突起と前記回転溝とは係合して、前記執行部の回転運動の軌道を制限することを特徴とする請求項４に記載の濾過装置。
【請求項６】
前記インナーキャビティの内壁は、径方向に沿って前記インナーキャビティの中心軸に向かって制限階段が延伸され、前記ロッド部の外壁は、径方向に沿って前記マウントに向かって制限突起が延伸され、前記制限突起が前記制限階段に当接し、且つ、前記制限突起と前記制限階段は係合して前記執行部が前記マウントから離れる方向に移動することを制限するために使用されることを特徴とする請求項３から５のいずれか一項に記載の濾過装置。
【請求項７】
前記第１部材は、内殻をさらに備え、前記内殻の一端は、前記第１収容キャビティを貫通して設けられ、前記内殻の他端は、前記外殻の底板を貫通して設けられ前記外殻の外側に位置し、前記底板が前記内殻の第２側壁の外表面に密閉接続し、前記第２側壁と頂板とに囲まれて第２収容キャビティを形成し、前記内殻の前記第１収容キャビティを貫通して設けられ前記第２側壁には幾つかの隙間が設けられ、前記隙間が全て前記第１収容キャビティおよび前記第２収容キャビティを連通し、
前記流路は、前記流体通路、前記濾過膜、前記第１収容キャビティ、前記隙間、および第２収容キャビティを順次に通過することを特徴とする請求項１から６のいずれか一項に記載の濾過装置。
【請求項８】
前記第１部材は一体成形されていることを特徴とする請求項７に記載の濾過装置。
【請求項９】
前記内殻の第２側壁は、相互に接続する第１部分と第２部分とを含み、前記第１部分の厚さは前記第２部分の厚さより小さく、前記第１部分は前記第１収容キャビティに位置し、且つ前記第１部分には前記幾つかの隙間が設けられ、前記第２部分は前記外殻の外側に位置し、前記外殻の底板は前記第２部分の前記第１部分の一端に近づく外表面に密封接続されることを特徴とする請求項７又は８に記載の濾過装置。
【請求項１０】
前記内殻の他端にスナップし、且つ、前記第２収容キャビティをシールするために使用されるシール部材を更に含むことを特徴とする請求項７から９のいずれか一項に記載の濾過装置。
【請求項１１】
前記シールカバーが前記ロッド部に螺合されていることを特徴とする請求項１から１０のいずれか一項に記載の濾過装置。
【請求項１２】
前記シールカバーの材料がゴムであることを特徴とする請求項１から１１のいずれか一項に記載の濾過装置。
【請求項１３】
前記第１部材の一端が前記第２部材の対応する一端にスナップし、且つ前記第１部材と前記第２部材は密閉接続されることを特徴とする請求項１から１２のいずれか一項に記載の濾過装置。
【請求項１４】
請求項１から１３のいずれか一項に記載の濾過装置を備える濾過輸液容器であって、前記濾過輸液容器は輸液容器をさらに備え、前記濾過装置が前記輸液容器に接続され、且つ前記流路の一端が前記輸液容器に通じ、他端が前記濾過膜に通じることを特徴とする濾過輸液容器。
【発明の詳細な説明】
【関連出願の相互参照】
【０００１】
本出願は、出願日が２０１７年７月２０日の中国特許出願第２０１７１０５９５７７９．Ｘ号および第２０１７２０８９６１５７．６号の優先権を主張する。本出願は、上記の中国特許出願の全文を引用する。
【技術分野】
【０００２】
本発明は、濾過装置およびそれを含む濾過輸液容器に関する。
【背景技術】
【０００３】
臨床輸液する時、濾過膜を備えた濾過装置を使用する前に、最高の濾過効果を達成するために、濾過膜が完全性を維持する必要があり、つまり、濾過膜は、壊されない状態であるだけでなく、患者が使用する時のみ、最初に輸液液体と接触する。しかし、先行技術では、工場を出る前に前処理のさまざまな特定の滅菌プロセス（例えば蒸気滅菌などの様々な医薬業界での滅菌方法）に、蒸気およびその他の物質は濾過膜に接触しやすくために、濾過膜の予想される濾過効果を変更し、濾過膜の有効性が低下される。
【発明の概要】
【０００４】
本発明が解決しようとする技術課題は、先行技術で患者が使用する前に蒸気およびその他の物質が濾過膜に接触するため、濾過膜の予想される濾過効果を変更し、濾過膜の有効性が低下される欠陥を克服するために、濾過装置およびそれを含む濾過輸液容器を提供する。
【０００５】
本発明は、以下の技術案により上記の技術課題を解決する。
【０００６】
濾過装置であって、前記濾過装置は、
外殻を含み、前記外殻の第１側壁と底板に囲まれて第１収容キャビティが形成された第１部材と、
前記第１部材に接続され、流体通路を含む第２部材と、
前記流体通路を開閉するために使用され、相互に接続されたヘッド部とロッド部を含み、前記ヘッド部が第２部材に回転可能に接続され、前記ロッド部が前記流体通路に挿入して設けられ、且つ前記ロッド部の外表面がシートカバーでカバーされる執行部と、
前記第１部材と前記第２部材の間に挟まれる濾過膜と、
を含み、
前記濾過装置は、流路を更に含み、前記流路は前記流体通路、前記濾過膜、及び前記第１収容キャビティを順次に通過することを特徴とする濾過装置である。
【０００７】
本技術案では、シールカバーのこのようなシール方法により、濾過装置は、特定の滅菌プロセス（例えば蒸気滅菌などの様々な医薬業界での滅菌方法）を経った後でも、良好な密封を維持し続け、つまり、濾過膜は、患者が使用する前にずっと輸液液体と異なる閉空間に位置して、最適の完全性を維持し、同時に濾過装置は液漏れを引き起こさず、輸送中に執行部が緩むこともない。
【０００８】
好ましくは、前記執行部の中心軸が、前記流体通路の中心軸に垂直であり、前記執行部が、前記流体通路の中心軸に対して垂直な方向に沿って直線的に移動しながら、前記執行部の中心軸を中心にして回転する。
【０００９】
好ましくは、前記第２部材は、マウントを更に備え、前記マウントにはインナーキャビティが設けられ、前記執行部のロッド部は前記インナーキャビティに挿入して設けられ、前記インナーキャビティの中心軸は、前記流体通路の中心軸に垂直である。
【００１０】
好ましくは、前記ヘッド部の前記流体通路に面する一側には、制限スロットが設けられ、前記マウントの側壁の前記制限スロットに面する一端は、前記制限スロットに挿入して設けられ、前記制限スロットと前記マウントの側壁は係合して前記執行部の動きを制限するために使用される。
【００１１】
好ましくは、前記マウントの側壁の外面に回転突起が設けられ、前記制限スロットの内表面に前記回転突起に対応する回転溝が設けられ、前記回転突起と前記回転溝は係合して前記執行部の回転運動の軌道を制限する。
【００１２】
本技術案では、相互に係合する回転突起と回転溝を設けることにより、執行部の動きをより安定させ、執行部が流体通路を開閉する移動速度と距離をより安定的に制御できる；同時に相互に係合する回転突起と回転溝は、執行部が圧力を受けて直接にマウントから離れる方向に運動することを制限でき、それにより流体通路の開放を回避できる。
【００１３】
好ましくは、前記インナーキャビティの内壁は、径方向に沿って前記インナーキャビティの中心軸に向かって制限階段が延伸され、前記ロッド部の外壁は、径方向に沿って前記マウントに向かって制限突起が延伸され、前記制限突起が前記制限階段に当接し、且つ、前記制限突起と前記制限階段は係合して、前記執行部が前記マウントから離れる方向に移動することを制限するために使用される。
【００１４】
本技術案では、相互に係合する制限突起と制限階段を設けることにより、執行部の移動位置が制限され、執行部がマウントから脱落することがなく、使用の安全性が確保される。
【００１５】
好ましくは、前記第１部材は、内殻をさらに備え、前記内殻の一端は、前記第１収容キャビティを貫通して設けられ、前記内殻の他端は、前記外殻の底板を貫通して設けられ前記外殻の外側に位置し、前記底板が前記内殻の第２側壁の外表面に密閉接続し、前記第２側壁と頂板に囲まれて第２収容キャビティが形成され、前記内殻の前記第１収容キャビティを通過する第２側壁には幾つかの隙間が設けられ、前記幾つかの隙間はいずれも前記第１収容キャビティおよび前記第２収容キャビティを連通させ、
前記流路は、前記流体通路、前記濾過膜、前記第１収容キャビティ、前記隙間、および第２収容キャビティを順次に通過する。
【００１６】
本技術案では、内殻の構造を設けることにより、輸液液体が流路に沿って第１収容キャビティに達した後、液体表面が指定された高さに達した後、隙間を通して第２収容キャビティに入り、その後、液体が排出され、これにより、輸液液体が濾過膜を介して濾過して水滴状で直接にボトル刺し針のピンホールに滴下するため、連続エアプラグを形成することを防ぐことができ、それにより、輸液プロセスをよりよく制御できる。同時に、内殻の構造を設けて、ボトル刺し針が第２収容キャビティに挿入される時、内殻の頂板のブロッキングにより、ボトル刺し針が濾過膜を直接貫通するのを防ぐことができ、操作過程の安全性が向上する。なお、本技術案における隙間は気泡が第２収容キャビティに入るのを防ぎ、輸液液体の安全性と信頼性を確保する。
【００１７】
好ましくは、前記第１部材は一体成形される。
【００１８】
好ましくは、前記内殻の第２側壁は、相互に接続する第１部分と第２部分とを含み、前記第１部分の厚さは前記第２部分の厚さより小さく、前記第１部分は前記第１収容キャビティに位置し、且つ前記第１部分には前述の幾つかの隙間が設けられ、前記第２部分は前記外殻の外側に位置し、前記外殻の底板は前記第２部分の前記第１部分の一端に近づく外表面に密封接続される。
【００１９】
好ましくは、前記濾過装置は、前記内殻の他端にスナップし、且つ、前記第２収容キャビティをシールするためのシール部材を更に含む。
【００２０】
好ましくは、前記シールカバーが前記ロッド部に螺合されている。
【００２１】
好ましくは、前記シールカバーの材料がゴムである。
【００２２】
好ましくは、前記第１部材の一端が前記第２部材の対応する一端にスナップし、且つ前記第１部材と前記第２部材は密閉接続される。
【００２３】
本発明は、さらに濾過輸液容器を提供し、前記濾過輸液容器は上記の濾過装置を備え、前記濾過輸液容器は輸液容器をさらに備え、前記濾過装置が前記輸液容器に接続され、且つ前記流路の一端が前記輸液容器に通じ、他端が前記濾過膜に通じることを特徴とする濾過輸液容器である。
【００２４】
本発明の積極的で進歩的な効果は以下の通りである：
１．本発明は、コンパクトな構造と高い空間利用率を有する。
【００２５】
２．本発明は、執行部の外面にシールカバーを設置することにより、濾過装置が特定の滅菌プロセス（例えば蒸気滅菌などの様々な医薬業界での滅菌方法）を経った後でも、良好な密封を維持し続け、つまり、濾過膜が、患者が使用する前にずっと輸液液体と異なる閉空間に位置して、最適な完全性を維持し、同時に濾過装置が液漏れを引き起こさず、輸送中に執行部が緩むこともない。
【００２６】
３．本発明は、相互に係合する回転突起と回転溝を設けることにより、執行部の動きをより安定させ、執行部が流体通路を開閉する移動速度と距離をより安定的に制御でき、同時に相互に係合する回転突起と回転溝は、執行部が圧力を受けて直接にマウントから離れる方向に移動することを制限することができ、それにより流体通路の開放を回避できる。
【００２７】
４．本発明は、相互に係合する制限突起と制限階段を設けることにより、執行部の移動位置を制限し、執行部がマウントから脱落するのを防止し、使用の安全性を確保する。
【００２８】
５．本発明は、内殻の構造を設けることにより、輸液液体が濾過膜を通過して水滴状で直接にボトル刺し針のピンホールに滴下するため、連続エアプラグを形成することを防ぐことができ、それにより、輸液プロセスをよりよく制御できるだけでなく、内殻の頂板のブロッキングにより、ボトル刺し針が濾過膜を直接貫通するのを防ぐことができ、操作中の安全性が向上され、同時に、内殻の隙間も気泡が第２収容キャビティに入るのを防ぎ、輸液液体の安全性と信頼性を確保する。
【図面の簡単な説明】
【００２９】
【図１】本発明の好ましい実施例に係る濾過輸液容器の分解図である。
【図２】本発明の好ましい実施例に係る濾過輸液容器の斜視構造図である。
【図３】本発明の好ましい実施例に係る濾過装置の執行部が流体通路を開ける時の断面図である。
【符号の説明】
【００３０】
濾過装置１
シール部材１０
第１部材２０
外殻２１
第１側壁２１１
ベースプレート２１２
第１収容キャビティ２１３
内殻２２
第２側壁２２１
第１部分２２１１
第２部分２２１２
頂板２２２
第２収容キャビティ２２３
隙間２２４
濾過膜３０
第２部材４０
流体通路４１
マウント４３
インナーキャビティ４３１
制限階段４３１１
マウントの側壁４３２
回転突起４３２１
執行部５０
ヘッド部５１
制限スロット５１２
回転溝５１３
ロッド部５２
制限突起５２１
シールカバー５３
流路６０
固定部品７０
輸液容器２
【発明を実施するための形態】
【００３１】
本発明を以下の実施例によってさらに説明するが、記載された実施例の範囲に本発明を限定することを意図するものではない。
【００３２】
図１〜３を参照すると理解されるように、本実施形態は、シール部材１０と、第１部材２０と、濾過膜３０と、第２部材４０と、執行部５０とを含む濾過装置１を提供する。第１部材２０の一端は、第２部材４０の対応する一端にスナップし、且つ第１部材２０と第２部材４０は密閉接続される。濾過膜３０は、第１部材２０と第２部材４０との間に挟まれる。第１部材２０は一体成形される。
【００３３】
第１部材２０は、外殻２１と内殻２２とを含む。外殻２１の第１側壁２１１と底板２１２に囲まれて、第１収容キャビティ２１３が形成される。内殻２２の一端は、第１収容キャビティ２１３内を貫通して設けられ、内殻２２の他端は、外殻２１の底板２１２を貫通して設けられ、外殻２１の外側に位置し、底板２１２が内殻２２の第２側壁２２１の外表面に密閉接続され、第２側壁２２１と頂板２２２に囲まれて第２収容キャビティ２２３が形成され、内殻２２が第１収容キャビティ２１３に貫通して設けられた第２側壁２２１には４つの隙間２２４が設けられ、４つの隙間２２４が全て第１収容キャビティ２１３および第２収容キャビティ２２３を連通させる。４つの隙間２２４は、第２収容キャビティ２２３の円周方向に沿って等間隔に配置される。他の代替実施形態では、隙間２２４の数は、２つ、３つ、または他の数であってもよい。
【００３４】
内殻２２の第２側壁２２１は、相互に接続する第１部分２２１１と第２部分２２１２とを含み、第１部分２２１１の厚さは第２部分２２１２の厚さより小さく、第１部分２２１１は第１収容キャビティ２１３内に位置し、且つ第１部分２２１１は前述の隙間２２４を設けられ、第２部分２２１２は前述の外殻２１の外側に位置し、外殻２１の底板２１２は第２部分２２１２の第１部分２２１１の一端に近づく外面に密封接続される。
【００３５】
シール部材１０は、内殻２２の他端にスナップし、且つ、シール部材１０は第２収容キャビティ２２３をシールするために使用される。シール部材１０の材料はゴムである。本実施例では、シール部材１０の外側に固定部品７０でカバーされ、固定部品７０の一端が、周方向に沿って内殻２２のシール部材１０に近づく一端の外側にスナップする。固定部品７０はシール部材１０が内殻２２の一端により良く固定するために使用される。
【００３６】
第２部材４０は、流体通路４１を含む。執行部５０は、流体通路４１を開閉するために使用される。執行部５０の中心軸は、流体通路４１の中心軸に対して垂直であり、執行部５０は、流体通路４１の中心軸に対して垂直な方向に沿って直線的に移動しながら、執行部５０の中心軸を中心に回転する。執行部５０は、相互に接続するヘッド部５１とロッド部５２を含み、ヘッド部５１の直径はロッド部５２の直径よりも大きい。執行部５０のヘッド部５１は、第２部材４０に回転可能に接続される。執行部５０のロッド部５２は流体通路４１に挿入して設けられ、且つ、執行部５０のロッド部５２の外表面がシールカバー５３でカバーされる。このように、シールカバー５３のこんなシール方法により、濾過装置１は、特定の滅菌プロセス（例えば蒸気滅菌などの様々な医薬業界での滅菌方法）を経った後でも、良好な密封を維持し続け、つまり、濾過膜３０が、患者が使用する前にずっと輸液液体と異なる閉空間に位置させ、ろ過膜の最適な完全性を維持し、同時に濾過装置は液漏れを引き起こさず、輸送中に執行部が緩むこともない。本実施例では、シールカバー５３がロッド部５２に螺合されている。シールカバー５３の材料はゴムである。
【００３７】
第２部材４０は、マウント４３をさらに含む。マウントにはインナーキャビティ４３１が設けられ、執行部５０のロッド部５２はインナーキャビティ４３１に挿入して設けられ、インナーキャビティ４３１の中心軸は、流体通路４１の中心軸に垂直である。
【００３８】
ヘッド部５１の流体通路４１に面する一側には、制限スロット５１２が設けられ、マウントの側壁４３２の制限スロット５１２に面する一端は、制限スロット５１２に挿入して設けられ、制限スロット５１２とマウントの側壁４３２は係合して執行部５０の移動を制限するために使用される。
【００３９】
本実施形態では、マウントの側壁４３２の外表面に回転突起４３２１が設けられ、制限スロット５１２の内表面に回転突起４３２１に対応する回転溝５１３が設けられ、回転突起４３２１と回転溝５１３は係合して執行部５０の回転運動の軌道を制限する。このように、相互に係合する回転突起４３２１と回転溝５１３を設けることにより、執行部５０の動きをより安定させ、執行部５０が流体通路を開閉する移動速度と距離をより安定的に制御でき、同時に相互に係合する回転突起４３２１と回転溝５１３は、執行部５０が圧力を受けて直接にマウント４３から離れる方向に移動することを制限でき、それにより流体通路４１の開放を回避できる。
【００４０】
具体的には、執行部５０のシールカバー５３は、執行部５０が流体通路４１を閉じる時、同時に蒸気滅菌状態にある場合、上方の薬液が温度上昇による膨張する圧力がシールカバー５３全体に広がり、この時、シールカバー５３が流体通路４１をシールの役割を果たす為、流体通路４１の末端は一定の空間を持つデッドスペース（すなわち、空気を正常に排出できないもの）が形成され、同様に、蒸気滅菌状態では、温度（蒸気滅菌温度が１２１℃に達する）上昇はこの部分のデッドスペース内のガスが膨張することを引き起こす為、執行部５０を押してマウント４３から離れる方向に移動させ、つまり流体通路４１を開ける方向に移動し、これにより、潜在的なリスクが生じ、即ち消毒中に流体通路４１が開かれ、薬液が濾過膜に浸透して濾過膜を無効になるが、執行部の回転溝５１３とマウントの回転突起４３２１の螺合の係合により、空気の膨張による力をオフセットすることができ、それにより、消毒中に濾過膜が濡れないように保護する。
【００４１】
マウントのインナーキャビティ４３１の内壁は、径方向に沿ってインナーキャビティ４３１の中心軸に向かって制限階段４３１１が延伸されており、ロッド部５２の外壁は、径方向に沿ってマウント４３に向かって制限突起５２１をが延伸されており、制限突起５２１が制限階段４３１１に当接し、且つ、制限突起５２１と制限階段４３１１は係合して執行部５０がマウント４３から離れる方向に移動することを制限するために使用される。このように、相互に係合する制限突起５２１と制限階段４３１１を設けることにより、執行部５０の移動位置が制限され、執行部５０がマウント４３から脱落することがなく、使用の安全性が確保される。
【００４２】
濾過装置１は流路６０をさらに含み、流路６０が流体通路４１、濾過膜３０、第１収容キャビティ２１３、隙間２２４、および第２収容キャビティ２２３を順次に通過する。
【００４３】
本発明の動作原理：輸液液体が流路に沿って第１収容キャビティに達する時、輸液液体の水平面が徐々に上昇し、液体水平面が指定された高さに達した後、隙間を通して第２収容キャビティに入り、その後、液体が排出される。これにより、輸液液体が濾過膜を介して濾過して水滴状で直接にボトル刺し針のピンホールに滴下されて、連続的なエアプラグを形成することを防ぐことができ、それにより、輸液プロセスをよりよく制御できる。同時に、内殻の構造を設けることにより、ボトル刺し針が第２収容キャビティに挿入される時、内殻の頂板のブロックのため、ボトル刺し針が濾過膜を直接貫通するのを防ぐことができ、操作中の安全性が向上された。なお、本技術案における隙間は気泡が第２収容キャビティに入るのを防ぎ、輸液液体の安全性と信頼性を確保した。
【００４４】
本実施例は、上述の濾過装置１を含む濾過輸液容器を更に提供し、濾過輸液容器は輸液容器２をさらに含み、濾過装置１が輸液容器２に接続され、且つ流路６０の一端が輸液容器に通じ、他端が濾過膜３０に通じる。
【００４５】
上文には本発明の具体的な実施形態が説明されていたが、これらは例示な説明のみで、本発明の保護範囲は、添付の特許請求の範囲により限定されることは、当業者が理解すべきである。当業者は、本発明の原理および実質から逸脱しない限り、これらの実施形態に様々な変更または修正を行うことができ、これらの変更又は修正はいずれも本発明の保護範囲におちる。
【図１】
2020527460.tif 000003
【図２】
2020527460.tif 000004
【図３】
2020527460.tif 000005
【国際調査報告】
2020527460.tif 000006
2020527460.tif 000007
2020527460.tif 000008
2020527460.tif 000009
2020527460.tif 000010
2020527460.tif 000011